(57)【要約】【課題】  製品情報を外部から非接触で読み取ることにより、製品の管理を簡便化することができる転がり軸受装置を提供する。【解決手段】  内輪１２と、外輪１１と、内外輪１２，１１の間に相対回転自在に配置された複数の転動体１３と、円環形状に形成され、その基端部が内輪１２又は外輪１１に装着され、その先端部が外輪１１又は内輪１２に形成されたシール溝１５内に配置される密封装置１４と、を有する転がり軸受装置１０である。密封装置１４の少なくとも外側面に、製品情報を書き込んだ無線タグ１７を配置し、製品情報を外部から非接触で読み取ることにより、製品の管理の簡便化を可能とする。【選択図】        図１
2005042895.tif 000002
【特許請求の範囲】
【請求項１】
内輪と、外輪と、前記内輪と前記外輪との間に相対回転自在に配置された複数の転動体と、を有する転がり軸受装置であって、
円環形状に形成され、その基端部が前記内輪又は前記外輪に装着され、その先端部が前記外輪又は前記内輪に形成されたシール溝内に配置される密封装置を有し、
前記密封装置の少なくとも外側面に無線タグを配置したことを特徴とする転がり軸受装置。
【請求項２】
前記無線タグが、前記密封装置の円周方向にアンテナを配置していることを特徴とする請求項１に記載の転がり軸受装置。
【請求項３】
前記密封装置の先端部が、前記シール溝に対して隙間をもって配置されていることを特徴とする請求項１又は請求項２に記載の転がり軸受装置。
【請求項４】
前記密封装置の先端部に、前記シール溝に対して隙間をもって配置されるリップを有することを特徴とする請求項１又は請求項２に記載の転がり軸受装置。
【請求項５】
前記密封装置が、芯金を弾性部材で覆って形成され、前記無線タグが、前記芯金に固定された後に、その表面がエラストマを加硫接着した被膜により覆われていることを特徴とする請求項１〜請求項４のいずれか一項に記載の転がり軸受装置。
【請求項６】
内輪と、外輪と、前記内輪と前記外輪との間に相対回転自在に配置された複数の転動体と、を有する転がり軸受装置であって、
前記内輪とハブが一体的に形成され、そして前記外輪にエンドキャップが装着されており、該エンドキャップに無線タグが配置されていることを特徴とする転がり軸受装置。
【請求項７】
前記エンドキャップが、合成樹脂製であることを特徴とする請求項６に記載の転がり軸受装置。
【請求項８】
前記無線タグが、前記エンドキャップの内側に配置されていることを特徴とする請求項７に記載の転がり軸受装置。
【発明の詳細な説明】
【技術分野】
【０００１】
本発明は、転がり軸受装置に関する。
【背景技術】
【０００２】
従来の転がり軸受装置の一例として、内輪と外輪との間で保持器に保持された転動体を介在させ、複数の転動体の配列の両側に密封装置が設けられたものが知られている（例えば、特許文献１参照）。
【特許文献１】特開平１１−０８２５２６号公報（第２−３頁、第１図）
【０００３】
ところで、このような従来の転がり軸受装置では、外輪の端面や密封装置の外側面に刻印やレーザマーキングを行ない、軸受名番やロット番号を表示している。
【発明の開示】
【発明が解決しようとする課題】
【０００４】
ところが、外輪の端面や、密封装置の外側面に、刻印やレーザマーキングをすることによって、軸受名番やロット番号等の製品情報を表示する場合、刻印やレーザマーキングに特殊な機械装置を必要とし、しかも、それを施工する工程が必要であるため、多くの工数を必要としていた。
【０００５】
また、転がり軸受装置が自動車等の装置に組み込まれた後に、刻印やレーザマーキングにより付された軸受番号やロット番号等の製品情報を確認するに際しては、その転がり軸受装置を分解して刻印やレーザマーキングの位置を露出させ、それを肉眼やカメラ等を用いて確認する必要があった。そのため、分解等の付加作業を伴うとともに、確認作業等に手間がかかり、簡便化が望まれていた。
【０００６】
更に、転がり軸受装置の製品情報を番号対応で管理するには、刻印やレーザマーキングする文字数が多くなるため、スペースが不足したり、番号管理が煩雑になったりするという問題があった。
【０００７】
本発明は、上記事情に鑑みてなされたものであり、その目的は、製品情報を外部から非接触で読み取れ、それにより製品の管理を簡便化することができる転がり軸受装置を提供することにある。
【課題を解決するための手段】
【０００８】
前述した目的を達成するため、本発明に係る転がり軸受装置は、
内輪と、外輪と、前記内輪と前記外輪との間に相対回転自在に配置された複数の転動体と、を有する転がり軸受装置であって、
円環形状に形成され、その基端部が前記内輪又は前記外輪に装着され、その先端部が前記外輪又は前記内輪に形成されたシール溝内に配置される密封装置を有し、
前記密封装置の少なくとも外側面に無線タグを配置したことを特徴としている。
【０００９】
ここで、無線タグとしては、例えば無線通信用ＩＣとアンテナとを内蔵したモジュール等を例示できる。無線タグは、データの読み出しのみを行なうタイプと、データの読み書きを行なえるタイプとがあり、プラスチックシート等の表面に、導電性インク等でアンテナが印刷等により成形され、そこに無線ＩＣチップが実装されている。そして、無線タグは、例えばエポキシ系接着剤等を用いて貼り付けられる。
【００１０】
このように構成された転がり軸受装置においては、軸受名番やロット番号等の製品情報が書き込まれた無線タグが、密封装置の外側面に配置される。従って、従来のように、特殊な機械装置を用いて行なう刻印やレーザマーキング、分解等の付加作業、スペース面の不足や煩雑な番号管理、を行なうことなく、外部から無線タグに無線アクセスすることにより、軸受名番やロット番号等の製品情報を非接触で瞬時にして確認することができる。よって、製品情報を外部から非接触で読み取ることにより、製品の管理を簡便化することができる。また、無線タグは書き込み可能な情報容量が多いので、個別番号管理が可能になって、トレーサビリティーを向上させることができる。
【００１１】
また、本発明の転がり軸受装置は、前記無線タグが、前記密封装置の円周方向にアンテナを配置していることを特徴としている。
【００１２】
このように、無線タグのアンテナが密封装置の円周方向に配置されるので、特に無線タグが使用する周波数帯域に対応した長さのアンテナを密封装置の円周方向に沿って配置することが望ましい。
【００１３】
また、本発明の転がり軸受装置は、前記密封装置の先端部が、前記シール溝に対して隙間をもって配置されていることを特徴としている。
【００１４】
このように、先端部がシール溝に隙間をもって配置される所謂シールと呼ばれる非接触型の密封装置を用い、密封装置の先端部とシール溝との間にラビリンスを形成する転がり軸受装置において、外部から無線タグに無線アクセスすることによって、軸受名番やロット番号等の製品情報を非接触で一瞬にして確認でき、製品情報を外部から非接触で読み取ることにより、製品の管理を簡便化することができる。
【００１５】
また、本発明の転がり軸受装置は、前記密封装置の先端部に、前記シール溝に対して隙間をもって配置されるリップを有することを特徴としている。
【００１６】
このように、リップがシール溝に隙間をもって配置される所謂シールドと呼ばれる非接触型の密封装置を用い、密封装置のリップとシール溝との間にラビリンスを形成する転がり軸受装置において、外部から無線タグに無線アクセスすることによって、軸受名番やロット番号等の製品情報を非接触で一瞬にして確認でき、製品情報を外部から非接触で読み取ることにより、製品の管理を簡便化することができる。
【００１７】
また、本発明の転がり軸受装置は、前記密封装置が、芯金を弾性部材で覆って形成され、前記無線タグが、前記芯金に固定された後に、その表面がエラストマを加硫接着した被膜により覆われていることを特徴としている。
【００１８】
このように、無線タグの表面がエラストマを加硫接着した被膜により保護されるので、水や塵等が付着する装置に用いられたとしても、水や塵等により汚損されることがないので、長期的な使用に耐えることができる。
【００１９】
また、前述した目的を達成するため、本発明に係る転がり軸受装置は、
内輪と、外輪と、前記内輪と前記外輪との間に相対回転自在に配置された複数の転動体と、を有する転がり軸受装置であって、
前記内輪とハブが一体的に形成され、そして前記外輪にエンドキャップが装着されており、該エンドキャップに無線タグが配置されていることを特徴としている。
【００２０】
この転がり軸受装置においても、前述と同様に、無線タグとしては、例えば無線通信用ＩＣとアンテナとを内蔵したモジュール等を例示できる。無線タグは、データの読み出しのみを行なうタイプと、データの読み書きを行なえるタイプとがあり、プラスチックシート等の表面に、導電性インク等でアンテナが印刷等により成形され、そこに無線ＩＣチップが実装されている。そして、無線タグは、例えばエポキシ系接着剤等を用いて貼り付けられる。
【００２１】
このように内輪とハブが一体的に形成され、そして外輪にエンドキャップが装着された構成の転がり軸受装置は、ハブユニット軸受であって、このハブユニット軸受の軸受名番やロット番号等の製品情報が書き込まれた無線タグが、エンドキャップに配置されるので、従来のように、特殊な機械装置を用いて行なう刻印やレーザマーキング、分解等の付加作業、スペース面の不足や煩雑な番号管理、を行なうことなく、外部から無線タグに無線アクセスすることにより、ハブユニット軸受の軸受名番やロット番号等の製品情報を非接触で瞬時にして確認することができる。よって、製品情報を外部から非接触で読み取ることにより、製品の管理を簡便化することができる。また、無線タグは書き込み可能な情報容量が多いので、個別番号管理が可能になって、トレーサビリティーを向上させることができる。
【００２２】
また、本発明の転がり軸受装置は、前記エンドキャップが、合成樹脂製であることを特徴としている。
【００２３】
このようにすると、エンドキャップによる電波の吸収や反射がないため、無線タグの電波の受信状態を妨害せずに、安定したデータの読み込みを行なうことができる。
【００２４】
また、本発明の転がり軸受装置は、前記無線タグが、前記エンドキャップの内側に配置されていることを特徴としている。
【００２５】
このようにすると、無線タグが雨水や飛石等にさらされることがなくなり、それにより、無線タグの信頼性を向上することができる。
【発明の効果】
【００２６】
本発明によれば、軸受名番やロット番号等の製品情報が書き込まれた無線タグが転がり軸受装置の外側面に配置される。従って、従来のように、特殊な機械装置を用いて行なう刻印やレーザマーキング、分解等の付加作業、スペース面の不足や煩雑な番号管理、を行なうことなく、外部から無線タグに無線アクセスすることにより、軸受名番やロット番号等の製品情報を非接触で瞬時にして確認することができる。よって、製品情報を外部から非接触で読み取ることにより、製品の管理を簡便化することができる。また、無線タグは書き込み可能な情報容量が多いので、個別番号管理が可能になって、トレーサビリティーを向上させることができる。
【発明を実施するための最良の形態】
【００２７】
以下、本発明に係る複数の好適な実施形態を添付図面に基づいて詳細に説明する。まず、図１を参照して、本発明に係る第１実施形態である転がり軸受装置（以後、『転がり軸受装置』または単に『軸受装置』と記述する。）を説明する。
【００２８】
図１（ａ）は本発明の転がり軸受装置の第１実施形態を示す断面図、図１（ｂ）は図１（ａ）の左側面図である。
図１（ａ），（ｂ）に示される本発明の第１実施形態である転がり軸受装置１０は、外輪１１と、内輪１２と、外輪１１と内輪１２との間で周方向に転動自在に配設された複数の玉（即ち、転動体）１３と、外輪１１に固定される外周基端部および内周先端部を有する円環形状の密封装置１４，１４と、を備えている深溝玉軸受である。
【００２９】
密封装置１４は、内輪１２端部の外周面に形成されたシール溝１５に隙間を介して配置される内周先端部１６を有している。即ち、転がり軸受装置１０は、内周先端部１６とシール溝１５との間にラビリンスを形成する非接触型の密封装置１４を有する。そして、転がり軸受装置１０は、密封装置１４の外側面に無線タグ１７を配置している。
【００３０】
さて、上記のように構成された転がり軸受装置１０をより詳細に説明する。
【００３１】
外輪１１は、その外輪外周面にハウジング（不図示）が外嵌される。外輪１１は、その外輪内周面の中央部に外輪軌道面１８が形成されており、当該外輪軌道面１８の軸方向両端部には凹状の密封装置固定部１９が形成されている。
【００３２】
内輪１２は、その内輪内周面に軸（不図示）が内嵌される。内輪１２は、その内輪外周面の中央部に内輪軌道面２０が形成されており、当該内輪軌道面２０の軸方向両側の端部には、凹状のシール溝１５が形成されている。
【００３３】
密封装置１４は、上述したように、円環形状に形成されており、玉１３に対して軸方向両側にそれぞれ配置されている。密封装置１４は、金属製の芯金２１を折曲加工することに成形されており、芯金２１の外周基端部側（即ち、密封装置１４の外周基端部）には、外輪１１の密封装置固定部１９に嵌着される固定部２２を有し、芯金２１の内周先端部側には、内輪１２のシール溝１５に予め定められた隙間を介して配置されて、シール溝１５との間にラビリンスを形成する内周先端部１６を有する。
【００３４】
無線タグ１７は、無線通信用ＩＣとアンテナとを内蔵したモジュールであり、データの読み出しのみを行なう例えばＲＯＭタイプと、データの読み書きを行なえる例えばＲＡＭタイプとがあり、本実施形態では、ＲＡＭタイプを用いている。無線タグ１７は、プラスチックシート等の表面に、導電性インク等でアンテナ２４が印刷等により成形され、そのアンテナ２４に無線ＩＣチップを実装した本体部２３が取付けられている。そして、無線タグ１７は、例えばエポキシ系接着剤等を用いて、一方の密封装置１４の外側面に貼り付けられている。
【００３５】
アンテナ２４は、無線タグ１７が使用する周波数帯域に対応した長さで、本体部２３から密封装置１４の芯金２１の円周方向に沿って湾曲状に延出されている。尚、防湿性を向上させるために、本体部２３の表面に、ふっ素樹脂をコーティングしたり、ふっ素樹脂やポリエステル等のシートを貼り付けたりするのが好ましい。また、アンテナ２４は、印刷だけでなく、フレキシブル基板をエッチングしてアンテナ部分を形成してもよい。更に、送受信される信号の信頼性向上のために、装置に組み付けられた際に、無線タグ１７、特にアンテナ２４が外部へ露出するような個所に配置されるのが好ましい。
【００３６】
無線タグ１７には、装置への組付け前に、軸受名番やロット番号等の製品情報が書き込まれて保存され、装置への組付け時に、組付け日時等の製品情報が書き込まれる。そして、一定期間使用後のメンテナンス時に、メンテナンス履歴等の製品情報が書き込まれる。無線タグ１７は、別途用意した送受信機（不図示）からの電波による電力で作動されて、その送受信機に対してそれら製品情報を無線送信することができる。そのため、転がり軸受装置１０の外部において非接触で、多量の前記製品情報を瞬時に読み出すことができる。
尚、ＲＯＭタイプの無線タグ１７を用いた場合、装置への組付け前に、軸受名番やロット番号等の製品情報を書き込んで保存し、装置への組付け時に、組付け日時等の製品情報を書き込んでおくことにより、転がり軸受装置１０の外部において非接触で、前記製品情報を読み出すことができる。また、前記製品情報のうち、軸受名番やロット番号等の製品情報及び組付け日時等の製品情報は、装置への組み込み時（組み込み後）に書き込むようにしてもよい。また、前記製品情報として、製造工程において、１日の全製品に付すロット番号を書き込んでおくようにしてもよい。そうすれば、ロット管理を簡便に行なうことができる。
【００３７】
無線タグ１７は、密封装置１４が外輪１１に装着されるのといっしょに組み付けられるため、工数の増加を伴うことなく取付けられる。そして、前記送受信機によって外部から無線アクセスすることにより、製品情報を非接触で瞬時にして確認することができる。また、無線タグ１７は書き込み可能な情報容量が多いので、個別番号管理が可能になって、トレーサビリティーを向上させることができる。
【００３８】
前述した軸受装置１０によれば、軸受名番やロット番号等の製品情報が書き込まれた無線タグ１７が密封装置１４の外側面に配置される。従って、無線タグ１７は、密封装置１４の固定部２２が外輪１１の密封装置固定部１９に装着されるのといっしょに組み付けられるため、工数の増加を伴うことがない。また、従来のもののように、特殊な機械装置を用いて刻印やレーザマーキングを行なうことなく、且つ、分解等の付加作業を伴うことなく、且つ、スペース面の不足や煩雑な番号管理を伴うことなく、外部から無線タグ１７に無線アクセスすることにより、軸受名番やロット番号等の製品情報を非接触で瞬時にして確認することができる。それにより、製品情報を外部から非接触で読み取ることにより、製品の管理を簡便化することができる。また、無線タグ１７は書き込み可能な情報容量が多いので、個別番号管理が可能になって、トレーサビリティーを向上させることができる。
【００３９】
また、軸受装置１０によれば、無線タグ１７のアンテナ２４が密封装置１４の円周方向に配置されている。それ故、無線タグ１７が使用する周波数帯域に対応した長さのアンテナ２４を密封装置１４の円周方向に沿って配置することが望ましい。
【００４０】
また、軸受装置１０によれば、内周先端部１６がシール溝１５に隙間をもって配置される非接触型の密封装置１４が用いられる。従って、密封装置１４の内周先端部１６とシール溝１５との間にラビリンスを形成する転がり軸受装置１０において、外部から無線タグ１７に無線アクセスすることによって、軸受名番やロット番号等の製品情報を非接触で一瞬にして確認でき、製品情報を外部から非接触で読み取ることにより、製品の管理を簡便化することができる。
【００４１】
次に、図２を参照して本発明の転がり軸受装置の第２実施形態を説明する。図２は本発明の転がり軸受装置の第２実施形態を示す要部断面図である。尚、第２実施形態以下の各実施形態において、既に説明した部材等と同様な構成・作用を有する部材等については、図中に同一符号または相当符号を付することにより、説明を簡略化或いは省略する。
【００４２】
図２に示すように、本発明の第２実施形態である転がり軸受装置３０は、密封装置３１が、補強の役目を持つ金属製の芯金３２を、ゴム製、合成樹脂製、等の弾性部材３３で覆って形成されており、無線タグ１７の本体部２３が弾性部材３３の外側面に固定されている。そして、玉１３を転動自在に保持する保持器（もみ抜き保持器）３４を有する。
【００４３】
密封装置３１は、弾性部材３３の外周基端部に、外輪１１の密封装置固定部１９に嵌着される固定部３５を有しており、弾性部材３３の内周先端部に、内輪１２のシール溝１５に予め定められた隙間を介して配置されて、シール溝１５との間にラビリンスを形成するリップ３６を有する。
【００４４】
前述した軸受装置３０によれば、リップ３６がシール溝１５に隙間をもって配置される非接触型の密封装置３１が用いられる。従って、密封装置３１のリップ３６とシール溝１５との間にラビリンスを形成する転がり軸受装置３０において、外部から無線タグ１７に無線アクセスすることによって、軸受名番やロット番号等の製品情報を非接触で一瞬にして確認でき、製品情報を外部から非接触で読み取ることにより、製品の管理を簡便化することができる。尚、無線タグ１７が軸受装置３０の外側面にある場合、密封装置３１は接触型シールであってもよい。
【００４５】
次に、図３を参照して本発明の転がり軸受装置の第３実施形態を説明する。図３は本発明の転がり軸受装置の第３実施形態を示す要部断面図である。
【００４６】
図３に示すように、本発明の第３実施形態である転がり軸受装置４０は、密封装置４１が、補強の役目を持つ金属製の芯金４２を、ゴム製、合成樹脂製、等の弾性部材４３で覆って形成されている。そして、玉１３を転動自在に保持する保持器（もみ抜き保持器）４４を有する。
【００４７】
密封装置４１は、弾性部材４３の外周基端部に、外輪１１の密封装置固定部１９に嵌着される固定部４５を有しており、弾性部材４３の内周先端部に、内輪１２のシール溝１５に予め定められた隙間を介して配置されて、シール溝１５との間にラビリンスを形成するリップ４６を有する。
【００４８】
そして、無線タグ１７は、本体部２３が弾性部材４３の外側面に固定された後に、その表面が、エラストマを加硫接着した被膜４７により覆われて形成されている。
【００４９】
前述した軸受装置４０によれば、リップ４６がシール溝１５に隙間をもって配置される非接触型の密封装置４１が用いられる。従って、密封装置４１のリップ４６とシール溝１５との間にラビリンスを形成する転がり軸受装置４０において、外部から無線タグ１７に無線アクセスすることによって、軸受名番やロット番号等の製品情報を非接触で一瞬にして確認でき、製品情報を外部から非接触で読み取ることにより、製品の管理を簡便化することができる。また、無線タグ１７の表面が、エラストマを加硫接着した被膜４７により保護されるため、水や塵等が付着する装置に用いられたとしても、水や塵等により汚損されることがないので、長期的な使用に耐えることができる。
【００５０】
次に、図４（ａ），（ｂ）を参照して本発明の転がり軸受装置の第４実施形態を説明する。図４（ａ）は本発明の転がり軸受装置の第４実施形態を示す断面図、図４（ｂ）は図４（ａ）におけるエンドキャップの側面図である。
【００５１】
図４（ａ），（ｂ）に示すように、本発明の第４実施形態である転がり軸受装置５０は、本発明をＦＦ（フロントエンジン・フロントドライブ）型乗用車における駆動車軸用の第３世代ハブユニット軸受に適用したものであり、外輪５１と、第１内輪５３と第２内輪５４とを有するハブ５２と、外輪５１とハブ５２との間で周方向に転動自在に配設された複数の玉（即ち、転動体）５４と、外輪５１の端部に装着されたエンドキャップ５５と、から構成され、エンドキャップ５５の外側面に無線タグ１７が取付けられている。
【００５２】
外輪５１は、その内周側に、それぞれ軸方向外向きに開いた円弧状断面の第１，第２軌道面５６，５７が形成されている。外輪５１の外周側にはフランジ５８が形成されており、このフランジ５８を介して懸架装置のナックルアーム（不図示）に転がり軸受装置５０が結合される。
【００５３】
外輪５１の第１軌道面５６側にはハブ５２に一体結合された第１内輪５３が配置されており、この第１内輪５３の外周側には外輪５１の第１軌道面５６に対応する内向きに開いた円弧状断面の軌道面５９が形成されている。第１内輪５３の軌道面５９と第１軌道面５６との間には複数の玉７３と保持器（不図示）とからなる第１玉列Ａが介装されている。
【００５４】
外輪５１の第２軌道面５７側には第２内輪５４が配置されており、この第２内輪５４の外周側には外輪５１の第２軌道面５７に対応する内向きに開いた円弧状断面の軌道面６０が形成されている。第２内輪５４の軌道面６０と第２軌道面５４の間には複数の玉７３と保持器(不図示)とからなる第２玉列Ｂが介装されている。外輪５１とハブ５２との間には、オイルシールである軸シール６１が配置されている。
【００５５】
第２内輪５４は、ハブ５２の先端部に形成された先端筒部６２に外嵌・圧入されることにより軸方向に位置決めされ、ナット６３が先端筒部６２にねじ込まれることによりハブ５２に一体的に固定されている。
【００５６】
そして、第２内輪５４の端部に、トーンホイール６４が取付けられている。トーンホイール６４は、円環形状に形成されており、環状部６５の円周方向に、等ピッチで貫通状の窓部（不図示）と柱部（不図示）とが交互に形成されている。
【００５７】
エンドキャップ５５は、合成樹脂により円環形状に形成されており、円板部６６と円筒部６７とからなる。円板部６６には、トーンホイール６４の環状部６５に対応して環状部６５から僅かに離れた位置に非接触で速度センサ６８が取付けられている。エンドキャップ５５を成形するのに用いる樹脂材料としては、ナイロン、ポリプロピレン、ＰＰＳ、等が適用されるが、耐油性や耐水性及び耐熱性を考慮して適宜選定するのがよい。エンドキャップ５５は、射出成形で成形されるため、安価に生産でき、無線電波を吸収や反射しないため、無線タグ１７の受信状態に悪影響を与えることがない。尚、エンドキャップ５５は、合成樹脂によらず金属製としてもよい。その場合、鉄やアルミニウム合金等が適用される。但し、エンドキャップ５５を金属製とした場合は、受信状態が悪くならないように無線タグ１７との間に非金属部材を挟む等、適宜な処置を行なうことが望ましい。
【００５８】
速度センサ６８は、トーンホイール６４の環状部６５に対して磁束を発生することにより、トーンホイール６４がハブ５２と共に回転し、トーンホイール６４の環状部６５における窓部と柱部とでの磁束の流れの大小により、パルス状の回転信号を発生する。速度センサ６８が発生した回転信号は、リード線等を通じて制御回路（不図示）に与えられる。
【００５９】
エンドキャップ５５は、円筒部６７が、外輪５１の端部に内嵌されることにより、外輪５１に組みつけられている。このとき、円筒部６７には、金属製等の補強部材を固定してもよい。その場合、エンドキャップ５５を成形する際に、補強部材をインサート成形するのが好ましい。
【００６０】
無線タグ１７は、エンドキャップ５５における円板部６６の外側面６６Ａ（外側）の外周側に固定されている。そして、アンテナ２４が、エンドキャップ５５の外側面６６Ａの円周方向に沿って配置されている。このとき、無線タグ１７は、エンドキャップ５５を樹脂成形する際に、インサート成形にて埋め込むようにしてもよい。その場合、合成樹脂製又は金属製の中子を前もって準備し、この中子に無線タグ１７を貼り付け、その後に、エンドキャップ５５をインサート成形すれば、無線タグ１７の位置を確認できるので望ましい。尚、中子を合成樹脂製とする方が無線電波を吸収や反射しないので、更に好ましい。
【００６１】
上述した軸受装置５０によれば、第１内輪５３及び第２内輪５４がハブ５２と一体的に形成され、外輪５１にエンドキャップ５５が装着されているので、ハブユニット軸受等として用いることができる。そして、無線タグ１７に、ハブユニット軸受の軸受名番やロット番号等の製品情報が書き込まれる。
【００６２】
従って、従来のように、特殊な機械装置を用いて行なう刻印やレーザマーキング、分解等の付加作業、スペース面の不足や煩雑な番号管理、を行なうことなく、外部から無線タグに無線アクセスすることにより、ハブユニット軸受の軸受名番やロット番号等の製品情報を非接触で瞬時にして確認することができる。それにより、製品情報を外部から非接触で読み取ることにより、製品の管理を簡便化することができる。また、無線タグは書き込み可能な情報容量が多いので、個別番号管理が可能になって、トレーサビリティーを向上させることができる。
【００６３】
また、上述した軸受装置５０によれば、合成樹脂製のエンドキャップ５５により、電波の吸収や反射がないため、無線タグ１７の電波の受信状態を妨害せずに、安定したデータの読み込みを行なうことができる。
【００６４】
次に、図５（ａ），（ｂ）を参照して本発明の転がり軸受装置の第５実施形態を説明する。図５（ａ）は本発明の転がり軸受装置の第５実施形態を示す断面図、図５（ｂ）は図５（ａ）におけるエンドキャップの側面図である。
【００６５】
図５（ａ），（ｂ）に示すように、本発明の第５実施形態である転がり軸受装置７０は、合成樹脂製のエンドキャップ５５における円板部６６の内側面６６Ｂ（内側）に無線タグ１７が取付けられている。
【００６６】
無線タグ１７は、エンドキャップ５５の内側面６６Ｂに取付けられているため、外部に露出していない。しかし、エンドキャップ５５が合成樹脂製であり、無線電波を吸収や反射しないため、無線タグ１７の受信状態（または送受信状態）に悪影響を与えることがない。そして、無線タグ１７は、エンドキャップ５５の内側面に取付けられているため、無線タグ１７が雨水に濡れたり、飛石によって破損したりするのを防ぐことができる。無線タグ１７は、エンドキャップ５５における円板部６６の内側面６６Ｂに代えて、エンドキャップ５５の円筒部６７の内側面（内側）に配置されてもよい。
【００６７】
上述した軸受装置７０によれば、第１内輪５３及び第２内輪５４がハブ５２と一体的に形成され、外輪５１にエンドキャップ５５が装着されているので、ハブユニット軸受等として用いることができる。そして、無線タグ１７に、ハブユニット軸受の軸受名番やロット番号等の製品情報が書き込まれる。
【００６８】
従って、従来のように、特殊な機械装置を用いて行なう刻印やレーザマーキング、分解等の付加作業、スペース面の不足や煩雑な番号管理、を行なうことなく、外部から無線タグに無線アクセスすることにより、ハブユニット軸受の軸受名番やロット番号等の製品情報を非接触で瞬時にして確認することができる。それにより、製品情報を外部から非接触で読み取ることにより、製品の管理を簡便化することができる。また、無線タグは書き込み可能な情報容量が多いので、個別番号管理が可能になって、トレーサビリティーを向上させることができる。
【００６９】
また、上述した軸受装置７０によれば、エンドキャップ５５の内側に無線タグ１７を配置しても、合成樹脂製のエンドキャップ５５が、電波の吸収や反射がないため、無線タグ１７の電波の受信状態（または送受信状態）を妨害せずに、安定したデータの読み込みを行なうことができるとともに、雨水や飛石等にさらされることがなくなり、それにより、無線タグ１７の信頼性を向上することができる。
【００７０】
尚、本発明は上述した実施形態に限定されるものではなく、適宜、変形，改良，等が可能である。その他、前述した実施形態における各構成要素の材質，形状，寸法，形態，数，配置個所，等は本発明を達成できるものであれば任意であり、限定されない。
【００７１】
例えば、本発明に係る転がり軸受装置に用いられる密封装置のリップの径方向における断面形状については、図２及び図３に示された三角形状に限らず、上述のように形成された先端部を有するものであれば種々の形状を採ることができる。
【００７２】
また、本発明に係る転がり軸受装置に用いられる密封装置は、その芯金を合成樹脂製としてもよく、或いは、芯金を用いずに弾性部材のみにより成形したものであってもよい。
【００７３】
また、本発明に係る転がり軸受装置は、前述した深溝玉軸受に限らず、その他、例えば、アンギュラ玉軸受、各種ころ軸受、等、密封装置を要する若しくは適用できる転がり軸受装置であれば、どんな転がり軸受装置であってもよい。
【００７４】
また、本発明は、自動車、鉄道車両、家電製品、映像情報機器、搬送装置、設備機械、等の転がり軸受が使用される全ての用途に適用される。特に、転がり軸受装置のトレーサビリティーが必要な自動車の用途に好適である。
【００７５】
また、保持器は、前述したもみ抜き保持器に限らず、例えば、打ち抜き保持器、冠形保持器、等といった種々の保持器を転がり軸受装置に応じて用いればよい。
【００７６】
また、リップをシール溝に締め代をもって摺接させる、接触型の密封装置を適用してもよい。
【００７７】
また、温度センサや振動センサ等を無線タグに内蔵することにより、温度情報や振動情報を監視するようにしてもよい。
【００７８】
尚、外輪にシール溝を設け、そして内輪に密封装置固定部を設けて、密封装置の固定部を内輪の密封装置固定部に嵌着し、そして主リップを外輪のシール溝の内側面に摺接させるようにしてもよく、その場合にも、上述した実施形態と同様にして本発明を実施することができる。
【図面の簡単な説明】
【００７９】
【図１】（ａ）は本発明に係る転がり軸受装置の第１実施形態を示す断面図、（ｂ）は（ａ）の左側面図である。
【図２】本発明に係る転がり軸受装置の第２実施形態を示す要部断面図である。
【図３】本発明に係る転がり軸受装置の第３実施形態を示す要部断面図である。
【図４】（ａ）は本発明の転がり軸受装置の第４実施形態を示す断面図、（ｂ）は（ａ）におけるエンドキャップの側面図である。
【図５】（ａ）は本発明の転がり軸受装置の第５実施形態を示す断面図、（ｂ）は（ａ）におけるエンドキャップの側面図である。
【符号の説明】
【００８０】
１０，３０，４０，５０，７０  転がり軸受装置
１１，５１                    外輪
１２                          内輪
１３，７３                    玉（転動体）
１４                          密封装置
１５                          シール溝
１６                          先端部
１７                          無線タグ
２４                          アンテナ
３２，４２                    芯金
３３，４３                    弾性部材
３６，４６                    リップ
４７                          被膜
５２                          ハブ（内輪）
５５                          エンドキャップ
【図１】
2005042895.tif 000003
【図２】
2005042895.tif 000004
【図３】
2005042895.tif 000005
【図４】
2005042895.tif 000006
【図５】
2005042895.tif 000007